(57)【要約】【課題】本発明は、補聴器に関するもので、ハウリングにより、迷惑をかけることの無いないようにすることを目的とするものである。【解決手段】本発明は、耳に装着される補聴器本体１と、この補聴器本体１に設けられたマイク７、およびレシーバ６と、これらのマイク７、およびレシーバ６に接続された制御部１０とを備え、前記制御部１０には判定部（ハウリング検出部の一例）１４を設け、この判定部１４には、振動子（ハウリング報知手段の一例）８を接続した。【選択図】図４
2011082647.tif 000002
【特許請求の範囲】
【請求項１】
耳に装着される補聴器本体と、この補聴器本体に設けられたマイク、およびレシーバと、これらのマイク、およびレシーバに接続された制御部とを備え、前記制御部にはハウリング検出部を設け、このハウリング検出部には、ハウリング報知手段を接続した補聴器。
【請求項２】
ハウリング報知手段は、補聴器本体を振動させる振動手段により構成した請求項１に記載の補聴器。
【請求項３】
ハウリング報知手段は、補聴器本体に通信ケーブルを介して接続した表示手段により構成した請求項１に記載の補聴器。
【請求項４】
補聴器本体には、通信手段を介して表示手段を電気的に接続した請求項１〜３のいずれか一つに記載の補聴器。
【発明の詳細な説明】
【技術分野】
【０００１】
本発明は、補聴器に関するものである。
【背景技術】
【０００２】
従来の補聴器の構成は、以下のようになっていた。すなわち、耳に装着される補聴器本体と、この補聴器本体に設けられたマイク、およびレシーバと、これらのマイク、およびレシーバに接続された制御部とを備え、前記制御部には、補聴器本体を耳に適切に挿入できているか、否かを検出する挿入判定部を設け、この挿入判定部には、挿入状態報知手段を接続した構成となっていた。
つまり、補聴器本体を耳に適切に挿入できていないと、補聴効果も適切に発揮させることが出来ないので、その場合には、挿入状態の不備を挿入状態報知手段により報知するような構成となっていた（例えば下記特許文献１）。
【先行技術文献】
【特許文献】
【０００３】
【特許文献１】特開平１１−１５０７９７号公報
【発明の概要】
【発明が解決しようとする課題】
【０００４】
上記従来例における課題は、補聴器本体を耳に適切に挿入できていない状態で発生するハウリングを、報知することが出来ないと言うことであった。すなわち、補聴器本体を耳に適切に挿入できていない状態では、マイクとレシーバが近接することによるハウリングが発生することがあるが、補聴器使用者は、このハウリング状態時に発生する、いわゆるピーという大きな発振音すら聞き取ることが出来ないことも多く、この場合には、知らずして、その周りの人々に大変な不快感を与えてしまう。
そこで、本発明は、ハウリング発生時に、周囲の人々に迷惑をかけることの無いないようにすることを目的とするものである。
【課題を解決するための手段】
【０００５】
そして、この目的を達成するために本発明は、耳に装着される補聴器本体と、この補聴器本体に設けられたマイク、およびレシーバと、これらのマイク、およびレシーバに接続された制御部とを備え、前記制御部にはハウリング検出部を設け、このハウリング検出部には、ハウリング報知手段を接続し、これにより所期の目的を達成するものである。
【発明の効果】
【０００６】
以上のように本発明は、耳に装着される補聴器本体と、この補聴器本体に設けられたマイク、およびレシーバと、これらのマイク、およびレシーバに接続された制御部とを備え、前記制御部にはハウリング検出部を設け、このハウリング検出部には、ハウリング報知手段を接続したものであるので、ハウリング発生時に、周囲の人々に迷惑をかけることの無いないようにすることが出来る。すなわち、本発明は、制御部にハウリング検出部を設け、このハウリング検出部に、ハウリング報知手段を接続したものであるので、ハウリング発生時に、それをハウリング検出部で検出し、ハウリング報知手段により報知することが出来、その結果としてハウリングにより、迷惑をかけることの無いないようにすることが出来るのである。
【図面の簡単な説明】
【０００７】
【図１】本発明の（実施の形態１）にかかる補聴器の斜視図
【図２】同要部正面図
【図３】同要部正面図
【図４】同電気的ブロック図
【発明を実施するための形態】
【０００８】
以下、本発明の一実施形態を、添付図面を用いて説明する。
（実施の形態１）
図１は本発明の（実施の形態１）を示し、１は左右の耳にそれぞれ別々に装着される補聴器本体で、この補聴器本体１には通信ケーブル（通信手段の一例）２を介して表示手段３を電気的に接続している。表示手段３にはストラップ４が結合されており、このストラップ４により、例えば首に表示手段３をぶら下げて使用する形態となっている。また補聴器本体１は図２に示すように、略半円状の耳かけ部５と、この耳かけ部５の一端側に設けたレシーバ６と、このレシーバ６の近傍に設けたマイク７と、耳かけ部５の他端側に設けた振動子（ハウリング報知手段の一例）８とを備え、耳かけ部５の他端には前記通信ケーブル（通信手段の一例）２が接続されている。
【０００９】
図３は補聴器本体１を耳９に装着した状態を示し、この時、耳９上には耳かけ部５がかけられる。またこの時には、レシーバ６は耳孔（図示せず）に当接、圧接、あるいは一部挿入した状態となっているが、マイク７はレシーバ６とは反対方向（耳９とは反対方向）にその集音方向を向けている。さらに、振動子（ハウリング報知手段の一例）８は、耳かけ部５の通信ケーブル（通信手段の一例）２側が、耳９の後ろ側に沿うことにより、耳９の後ろ側に振動を伝える（報知）することが出来る状態となっている。
【００１０】
図４は電気的ブロック図を示し、マイク７とレシーバ６間には、制御部１０の信号処理部１１が介在させられている。また、左右の信号処理部１１には、それぞれ比較部１２が接続され、この比較部１２には閾値を記憶させた閾値記憶部１３と判定部１４が接続され、さらに判定部１４には、振動子（ハウリング報知手段の一例）８が接続されている。つまり、制御部１０は信号処理部１１、比較部１２、閾値記憶部１３、判定部１４で構成され、これに振動子（ハウリング報知手段の一例）８が接続されているのである。また、制御部１０、振動子（ハウリング報知手段の一例）８、マイク７、レシーバ６には、電池１５から駆動電圧が供給されるようになっている。
【００１１】
以上の構成において、耳孔（図示せず）にレシーバ６が適切に装着されていないときには、マイク７とレシーバ６が接近していることによりハイリングが発生することがある。この時には、異常な発振状態となっているので、信号処理部１１における入力信号は異常に大きなものとなっている。
【００１２】
この時、比較部１２は、閾値記憶部１３に記憶させた閾値と、信号処理部１１おける入力信号とを比較し、その比較結果を判定部（ハウリング検出部の一例）１４に供給する。判定部１４では、信号処理部１１おける入力信号が、閾値記憶部１３に記憶させた閾値よりも大きい状態が所定時間継続されると、ハウリングが発生していると判定し、振動子（ハウリング報知手段の一例）８を振動させる。この時に振動は、本実施形態では耳９の後ろ側に伝わり、これは難聴者であっても振動は感じることが出来るので、直ちに耳孔（図示せず）にレシーバ６を適切に装着できていないことを自覚することが出来る。
【００１３】
このため、使用者は直ちにレシーバ６の適切装着を試みることになり、この結果としてハウリング状態は短時間で収束させることができる。つまり、レシーバ６の不適切装着によるハウリングは直ちに収束し、それにより周囲の人々に迷惑をかけることの無いないようにすることが出来るのである。また、ハウリングのような異常な発振状態は消費電力が大きいため、ハウリングを放置し続けると電池の消耗が早くなってしまうが、本発明ではハウリング状態を短時間で収束させることができるので、電池の消耗が早くなるのを防ぐことができる。
【００１４】
なお、本実施形態では、ストラップ４により表示手段３を首からぶら下げた状態となっているので、この表示手段３に上述したハウリング発生状態を表示するようにすることも出来る。つまり、使用者は耳孔（図示せず）にレシーバ６を装着後、この表示手段３を目視するようにすれば、レシーバ６の不適切装着によるハウリング発生時には、それを表示手段３の表示から判断することが出来るのである。勿論、この時表示手段３にハウリング発生が表示されていなければ、使用者は、耳孔（図示せず）にレシーバ６を適切に装着できていることを確認し、安心して使用継続が行えることになる。
【産業上の利用可能性】
【００１５】
以上のように本発明は、耳に装着される補聴器本体と、この補聴器本体に設けられたマイク、およびレシーバと、これらのマイク、およびレシーバに接続された制御部とを備え、前記制御部にはハウリング検出部を設け、このハウリング検出部には、ハウリング報知手段を接続したものであるので、ハウリング発生時に、周囲の人々に迷惑をかけることの無いないようにすることが出来る。すなわち、本発明は、制御部にハウリング検出部を設け、このハウリング検出部に、ハウリング報知手段を接続したものであるので、ハウリング発生時に、それをハウリング検出部で検出し、ハウリング報知手段により報知することが出来、その結果としてハウリングにより、迷惑をかけることの無いないようにすることが出来るのである。このため、補聴器として広く活用が期待される。
【符号の説明】
【００１６】
１    補聴器本体
２    通信ケーブル（通信手段の一例）
３    表示手段
４    ストラップ
５    耳かけ部
６    レシーバ
７    マイク
８    振動子（ハウリング報知手段の一例）
９    耳
１０    制御部
１１    信号処理部
１２    比較部
１３    閾値記憶部
１４    判定部（ハウリング検出部の一例）
【図１】
2011082647.tif 000003
【図２】
2011082647.tif 000004
【図３】
2011082647.tif 000005
【図４】
2011082647.tif 000006